(57)【特許請求の範囲】
【請求項１】
飛び越し走査の入力映像信号から補間走査信号を生成し、前記入力映像信号の実走査信号及び前記補間走査信号を相互に間挿して順次走査の映像信号を生成する映像信号変換装置であって、
２つの実走査線信号間で前記補間走査信号を生成するための対象となる補間フィールドと当該補間フィールドより１フィールド期間前の第１のフィールドとの第１の相関値を前記補間フィールド内の実走査線信号及び前記第１のフィールド内の実走査線信号に基づいて検出する第１の検出手段と、
前記補間フィールドと当該補間フィールドより１フィールド期間後の第２のフィールドとの第２の相関値を前記補間フィールド内の実走査線信号及び前記第２のフィールド内の実走査線信号に基づいて検出する第２の検出手段と、
前記第１及び第２の相関値に基づいて、前記補間フィールドとその前後の第１及び第２のフィールドの一方との相関が強い場合に前記補間フィールドがテレシネ変換された映像信号であると判定する第１の判定手段と、
前記補間フィールドがビデオ編集により生じた１フィールドのフィルムフレームよりなる編集点フィールドであると判定する第２の判定手段と、
前記第１及び第２の判定手段の判定結果に応答して、前記補間フィールドに対する補間処理を設定し、前記補間走査信号を生成する補間信号生成手段と、を備え、
前記補間信号生成手段は、前記第１の判定手段によりテレシネ変換であると判定され、且つ前記第２の判定手段で編集点フィールドでないと判定された場合に、前記補間フィールドに対して１フィールド前又は後の実走査線信号をそのまま前記補間走査線信号として用いるフィルム間補間処理を行い、それ以外の判定結果の場合に、前記補間フィールド内及びその前後の実走査線信号によって補間走査線信号を求める適応型補間処理を行うことを特徴とする映像信号変換装置。
【請求項２】
前記第１の検出手段は、前記第２のフィールドに比して前記第１のフィールドとの相関が強い前記補間フィールド内の領域において垂直走査方向に平坦で且つ動きのある特徴点を積算して前記第１の相関値を検出し、前記第２の検出手段は、前記第１のフィールドに比して前記第２のフィールドとの相関が強い前記補間フィールド内の領域において垂直方向に平坦で且つ動きのある特徴点を積算して前記第２の相関値を検出することを特徴とする請求項１に記載の映像信号変換装置。
【請求項３】
前記第２の判定手段は、前記第１のフィールドと前記補間フィールドより２フィールド期間前の第３のフィールドとの相関、前記第３のフィールド内における垂直走査方向の相関及び前記補間フィールド内における垂直走査方向の相関が大きく且つ前記補間フィールドとの前記第２のフィールドとの相関が小さい特徴点を積算した積算値が所定値以上のときに、前記補間フィールドを前記編集点フィールドであると判定することを特徴とする請求項１に記載の映像信号変換装置。
【請求項４】
前記補間信号生成手段は、前記適応型補間処理の際に、フィールド内補間処理による第１補間走査信号及びフィールド間補間処理による第２補間走査信号をそれぞれ求めると共に、画像の動き情報に基づいて前記第１及び第２補間走査信号を加重加算することにより前記補間走査信号を生成し、
前記フィルム補間処理の際に、前記第１又は第２のフィールド内の実走査信号に基づいて前記補間走査信号を生成することを特徴とする請求項１に記載の映像信号変換装置。
【請求項５】
前記補間フィールドにおいて１フィールド当たり１ドット程度の垂直走査方向の動きがあるか否かを判定する第３の判定手段を更に備え、
前記第１の判定手段は、更に、前記第１及び第２の相関値に基づいて、テレシネ変換された映像信号である場合の補間方向を判定し、
前記補間信号生成手段は、前記第３の判定手段の判定結果により前記垂直走査方向の動きがあると判定された場合、前記フィルム補間処理における補間方向を前記第１の判定手段により判定された補間方向とは逆にすることを特徴とする請求項１に記載の映像信号変換装置。
【発明の詳細な説明】
【０００１】
【発明の属する技術分野】
本発明は、飛び越し走査の映像信号を順次走査の映像信号に変換する映像信号変換装置に関し、特に、飛び越し走査の映像信号を映画フィルムから２−３プルダウン方式等により生成されたテレシネ変換映像信号である場合に即応した走査線変換処理を行うことができる映像信号変換装置に関する。
【０００２】
【従来の技術】
従来、映写フィルムから得られた映像信号をＮＴＳＣ方式等の標準テレビジョン方式の映像信号に変換し、この変換された映像信号を通常の標準テレビジョン方式の映像信号と合わせて再生する映像信号変換技術が知られている。
【０００３】
映写フィルムでは、空間画像を毎秒２４コマ（毎秒２４フレーム）として標本化し、ＮＴＳＣ方式では、空間画像を毎秒３０フレーム（毎秒６０フィールド）として標本化する。このように両者の標本化方式が異なるため、映写フィルムから得られた映像信号を２−３プルダウン方式等によってテレシネ変換することにより、ＮＴＳＣ方式等の標準テレビジョン方式に合った映像信号を得るようにしている。
【０００４】
２−３プルダウン方式によりテレシネ変換を行う場合には、まず映写フィルムを読取り走査してフレーム周波数２４Ｈｚに同期した順次走査の映像信号を生成する。そして、映写フィルムの第１フレームを標準テレビジョン方式の第１，第２フィールドに対応させ、第２フレームを第３〜第５フィールドに対応させ、第３フレームを第６，第７フィールドに対応させ、第４フレームを第８〜第１０フィールドに対応させ、以下残りのフレームとフィールドとの対向関係についても同様の変換を行っている。尚、上記標準テレビジョン方式の第５フィールドを第３フィールドと同じ映像内容、第８フィールドを第５フィールドと同じ映像内容にし、以下残りのフィールドについても同様の対応関係で繰り返えしている。
【０００５】
このように、２−３プルダウン方式では、映写フィルムの２コマを標準テレビジョン方式の５フィールドに対応させると共に、映写フィルムのコマに対応して標準テレビジョン方式の２フィールドと３フィールドの映像信号を交互に繰り返すことで、テレシネ変換を行っている。
【０００６】
ここで、上記したように、第３フィールドと第５フィールド、第８フィールドと第１０フィールドは、夫々同一の映像内容となるため、第５フィールド及び第１０フィールドにおけるフレーム間差分は０となり、このような関係は、５フィールド毎に発生する。すなわち、フレーム間差分の絶対値を１フィールド期間積算して、その積算値を所定のしきい値と比較し、その積算値がしきい値より大きい場合には「動きフィールド」、それ以外の場合には「静止フィールド」と判定すると、２−３プルダウン方式で変換された映像信号は、「静止フィールド」が５フィールド毎に等差数列的に発生する。
【０００７】
そこで、かかる特性を利用して、標準テレビジョン方式の映像信号中に２−３プルダウン方式でテレシネ変換された映像信号が含まれているか否かを判別したり、テレシネ変換された映像信号と通常の標準テレビジョン方式とを判別し、それらの判別結果に基づいて、飛び越し走査の映像信号から順次走査の映像信号を生成するようにしていた。
【０００８】
【発明が解決しようとする課題】
しかしながら、上記従来の判別方法では、通常の標準テレビジョン方式の映像信号とテレシネ変換された映像信号とを迅速に判別できないため、飛び越し走査の映像信号から順次走査の映像信号を生成するのに時間がかかるという問題があった。
【０００９】
すなわち、上記従来の判別方法では、フレーム間差分の絶対値を１フィールド期間積算することで得られる積算値を所定のしきい値と比較し、更に、かかる処理を複数フィールドに亘って繰り返すことによってテレシネ変換画像の周期的パターンを検出し、この検出結果に基づいて、通常の標準テレビジョン方式の映像信号とテレシネ変換された映像信号とを判別するようにしている。
【００１０】
したがって、判別処理に時間がかかり、例えば、テレシネ変換映像信号と通常の映像信号との切替わり点を迅速に検出したり、一旦編集された映像信号の編集点のズレを迅速に検出して、再生映像（画像）の劣化を未然に防止する等の対応を即座に行うことが難しかった。また、上記の検出された周期パターンに応じて判別方法を変更しなければならないという問題もあった。
【００１１】
本発明は、このような従来技術の問題点を克服するためになされたものであり一目的として、テレシネ変換映像信号と通常の映像信号との切替わり点や編集点のズレ等、映像信号の周期的パターンが不連続となる箇所における走査線補間処理の切替えを迅速且つ適切に行うことを可能にする映像信号変換装置を提供するにある。
【００１２】
【課題を解決するための手段】
上記目的を達成するため本発明は、飛び越し走査の入力映像信号から補間走査信号を生成し、前記入力映像信号の実走査信号及び前記補間走査信号を相互に間挿して順次走査の映像信号を生成する映像信号変換装置であって、２つの実走査線信号間で前記補間走査信号を生成するための対象となる補間フィールドと当該補間フィールドより１フィールド期間前の第１のフィールドとの第１の相関値を前記補間フィールド内の実走査線信号及び前記第１のフィールド内の実走査線信号に基づいて検出する第１の検出手段と、前記補間フィールドと当該補間フィールドより１フィールド期間後の第２のフィールドとの第２の相関値を前記補間フィールド内の実走査線信号及び前記第２のフィールド内の実走査線信号に基づいて検出する第２の検出手段と、前記第１及び第２の相関値に基づいて、前記補間フィールドとその前後の第１及び第２のフィールの一方との相関が強い場合に前記補間フィールドがテレシネ変換された映像信号であると判定する第１の判定手段と、前記補間フィールドがビデオ編集により生じた１フィールドのフィルムフレームよりなる編集点フィールドであると判定する第２の判定手段と、前記第１及び第２の判定手段の判定結果に応答して、前記補間フィールドに対する補間処理を設定し、前記補間走査信号を生成する補間信号生成手段と、を備え、前記補間信号生成手段は、前記第１の判定手段によりテレシネ変換であると判定され、且つ前記第２の判定手段で編集点フィールドでないと判定された場合に、前記補間フィールドに対して１フィールド前又は後の実走査線信号をそのまま前記補間走査線信号として用いるフィルム間補間処理を行い、それ以外の判定結果の場合に、前記補間フィールド内及びその前後の実走査線信号によって補間走査線信号を求める適応型補間処理を行うことを特徴とする。
【００１３】
かかる構成によれば、１フィルムフレーム当たり２フィールド以上の長さのフィルムフレームが連続するテレシネ変換された映像信号を迅速且つ的確に検出すると共に、１フィールドのフィルムフレームからなる編集点フィールドに対しても適切な補間処理を行う。よって、テレシネ変換された飛び越し走査の映像信号から補間処理により生成される順次走査の映像信号の表示品質を向上させることができる。
【００１４】
また、本発明の映像信号変換装置は、前述の特徴に加えて、前記補間フィールドにおいて１フィールド当たり１ドット程度の垂直走査方向の動きがあるか否かを判定する第３の判定手段を更に備え、前記第１の判定手段は、更に、前記第１及び第２の相関値に基づいて、テレシネ変換された映像信号である場合の補間方向を判定し、前記補間信号生成手段は、前記第３の判定手段の判定結果により前記垂直走査方向の動きがあると判定された場合、前記フィルム補間処理における補間方向を前記第１の判定手段により判定された補間方向とは逆にすることを特徴とする。
【００１５】
かかる構成によれば、１フィルムフレーム当たり２フィールド以上の長さのフィルムフレームが連続するテレシネ変換された映像信号を迅速且つ的確に検出すると共に、１フィールド当たり１ドット程度の垂直走査方向への動きが生じている場合に対しても適切な補間処理を行う。よって、テレシネ変換された飛び越し走査の映像信号から補間処理により生成される順次走査の映像信号の表示品質を向上させることができる。
【００１６】
【発明の実施の形態】
以下、本発明の実施の形態を図面を参照して説明する。図１は、本実施形態に係る映像信号変換装置の回路構成を示すブロック図である。
【００１７】
図１において、本映像信号変換装置は、飛び越し走査（インターレース走査）の入力映像信号の実走査信号から補間走査信号を生成し、この補間走査信号と上記入力映像信号の実走査信号とを互いに間挿することによって、順次走査（ノンインターレース走査）の映像信号を生成するように構成されている。また、本映像信号変換装置は、例えばプラズマディスプレイパネル（ＰＤＰ）等に適用される。
【００１８】
また、カラー映像信号を処理する場合には、図１に示す映像信号変換装置が、例えば輝度信号、色信号に対応して複数個並列に設けるようにする。
【００１９】
本映像信号変換装置は、図１に示すように、３個のフィールドメモリ１，３，４と、３個のラインメモリ２，５，６と、モード検出器７と、画像の動きを検出する動き検出器８と、モード検出器７及び動き検出器８からの検出出力に応じた走査線補間処理を行う走査線補間器９とを備えている。
【００２０】
フィールドメモリ１は、入力される飛び越し走査の入力映像信号Ｓ６を１フィールド期間遅延して映像信号Ｓ５を出力する。ラインメモリ２は、フィールドメモリ１からの映像信号Ｓ５を１水平走査期間（１Ｈ期間）遅延して映像信号Ｓ４を出力する。フィールドメモリ３は、ラインメモリ２からの映像信号Ｓ４を１フィールド期間遅延して映像信号Ｓ３を出力する。ラインメモリ６は、フィールドメモリ３からの映像信号Ｓ３を１Ｈ期間遅延して映像信号Ｓ２を出力する。フィールドメモリ４は、フィールドメモリ３からの映像信号Ｓ３を１フィールド期間遅延して映像信号Ｓ１を出力する。ラインメモリ５は、フィールドメモリ４からの映像信号Ｓ１を１フィールド期間遅延して映像信号Ｓ０を出力する。
【００２１】
したがって、映像信号Ｓ５は入力映像信号Ｓ６に対して１フィールド期間前の信号、映像信号Ｓ４は映像信号Ｓ５に対して１Ｈ期間前の信号、映像信号Ｓ３は映像信号Ｓ４に対して１フィールド期間前の信号、映像信号Ｓ２は映像信号Ｓ３に対して１Ｈ期間前の信号、映像信号Ｓ１は映像信号Ｓ３に対して１フィールド期間前の信号、映像信号Ｓ０は映像信号Ｓ１に対して１Ｈ期間前の信号となる。
【００２２】
映像信号Ｓ６，Ｓ５，Ｓ４，Ｓ３，Ｓ１，Ｓ０は、モード検出器７に供給され、また、映像信号Ｓ４，Ｓ３，Ｓ２，Ｓ０は、動き検出器８及び走査線補間器９に供給される。
【００２３】
モード検出器７は、入力される映像信号Ｓ６，Ｓ５，Ｓ４，Ｓ３，Ｓ１，Ｓ０に基づいて、入力映像信号が映写フィルムから得られた毎秒２４フレームの映像信号を２−３プルダウン方式等によってテレシネ変換された形態の映像信号（以下、フィルムモードの信号という）かテレビカメラ等で撮像された通常の標準テレビジョン方式に準拠した形態の映像信号（以下、ＴＶモードの信号という）かを検出すると共に、入力映像信号がフィルムモードの信号である場合の補間方向を検出する。
【００２４】
図２は、かかるモード検出器７の内部構成を示すブロック図である。同図において、平坦部検出器１０は、同一フィールド内において垂直走査方向に隣接する表示ラインに対する実走査信号Ｓ５，Ｓ４（映像信号を画素単位で見た場合の信号）の差分の絶対値｜Ｓ４−Ｓ５｜を演算し、所定のしきい値ＴＨＤ１と比較し、｜Ｓ４−Ｓ５｜＜ＴＨＤ１の場合には、画像が垂直方向に平坦である（輝度変化が少ないか無い）と判定して論理″Ｈ″の平坦部検出パルスＭ１を出力する。
【００２５】
動き検出器１１は、実走査信号Ｓ３とＳ６の差分の絶対値｜Ｓ３−Ｓ６｜と、実走査信号Ｓ４とＳ５の差分の絶対値｜Ｓ４−Ｓ５｜とを演算して、所定のしきい値ＴＨＤ２に対して、｜Ｓ３−Ｓ６｜／｜Ｓ４−Ｓ５｜≧ＴＨＤ２となる場合には、動画像であると判定して論理″Ｈ″の動き検出パルスＭ２を出力する。
【００２６】
ＡＮＤゲート１２は、平坦部検出パルスＭ１と動き検出パルスＭ２の論理積を求め、論理値″Ｈ″の検出パルスＭＶ（垂直走査方向に平坦で動きのある点を検出したパルス）を切換回路１３のコモン端子ＣＭへ供給する。
【００２７】
差分絶対値検出器１４、１５、１６、１７は、それぞれ、実走査信号Ｓ３とＳ４の差分の絶対値｜Ｓ３−Ｓ４｜、実走査信号Ｓ３とＳ５の差分の絶対値｜Ｓ３−Ｓ５｜、実走査信号Ｓ４とＳ６の差分の絶対値｜Ｓ４−Ｓ６｜、実走査信号Ｓ５とＳ６の差分の絶対値｜Ｓ５−Ｓ６｜を演算する。
【００２８】
最小値セレクタ１８は、差分の絶対値｜Ｓ３−Ｓ４｜と｜Ｓ３−Ｓ５｜のうち、小さい方の値を検出信号Ｍ３として出力し、また、最小値セレクタ１９は、差分の絶対値｜Ｓ４−Ｓ６｜と｜Ｓ５−Ｓ６｜のうち、小さい方の値を検出信号Ｍ４として出力する。
【００２９】
比較器２０は、最小値セレクタ１８，１９から供給される検出信号Ｍ３，Ｍ４を比較して、Ｍ３≧ｈ・Ｍ４（ｈは１以上の係数で、例えばｈ＝２）の場合には、検出フィールド（実走査信号Ｓ４，Ｓ５のフィールド）が１フィールド前のフィールド（実走査信号Ｓ３のフィールド）に比して１フィールド後のフィールド（実走査信号Ｓ６のフィールド）との相関が強いとして、切換え回路１３を接点ａ側に切換えさせるための切換制御信号ＣＮＴ１を出力する。
【００３０】
また、比較器２０は、検出信号Ｍ３，Ｍ４がＭ４≧ｈ・Ｍ３の場合には、検出フィールド（実走査信号Ｓ４，Ｓ５のフィールド）が１フィールド後のフィールド（実走査信号Ｓ６のフィールド）に比して１フィールド前のフィールド（実走査信号Ｓ３のフィールド）との相関が強いとして、切換回路１３を接点ｂ側に切換えさせるための切換制御信号ＣＮＴ１を出力する。
【００３１】
更に、Ｍ３＜ｈ・Ｍ４で且つＭ４＜ｈ・Ｍ３の場合には、比較器２０は、検出フィールド（実走査信号Ｓ４，Ｓ５のフィールド）と１フィールド後のフィールド（実走査信号Ｓ６のフィールド）との相関と、検出フィールド（実走査信号Ｓ４，Ｓ５のフィールド）と１フィールド前のフィールド（実走査信号Ｓ３のフィールド）との相関が略等しいとして、切換え回路１３を接点ｃ側に切換えさせるための切換制御信号ＣＮＴ１を出力する。
【００３２】
後寄り点カウンタ２１は、切換回路１３が接点ａ側に切り換えられるときに供給される検出信号ＭＶを１フィールド期間のあいだ計数（積算）し、その積算値Ｋ１を出力する。
【００３３】
前寄り点カウンタ２２は、切換回路１３が接点ｂ側に切り換えられるときに供給される検出信号ＭＶを１フィールド期間のあいだ積算し、その積算値Ｋ２を出力する。
【００３４】
動き点カウンタ２３は、動き検出器１１から供給される動き検出パルスＭ２を１フィールド期間のあいだ積算し、その積算値Ｋ３を出力する。
【００３５】
尚、これらのカウンタ２１，２２，２３の各積算値Ｋ１，Ｋ２，Ｋ３は、各フィールド期間の開始直前又は終了直後にリセットされる。
【００３６】
補間方向検出器２４は、後寄り点カウンタ２１からの積算値Ｋ１と前寄り点カウン夕２２からの積算値Ｋ２を比較して、後述する走査線補間器９内のフィルム補間器における補間処理の方向を制御する補間方向制御信号Ｊd1を出力する。
【００３７】
すなわち、補間方向検出器２４は、積算値Ｋ２に比して積算値Ｋ１の方が大きい場合、検出フィールド（実走査信号Ｓ４，Ｓ５のフィールド）は１フィールド後のフィールド（実走査信号Ｓ６のフィールド）との相関が強いと判定して論理″Ｈ″の補間方向制御信号Ｊd1を出力する。また、補間方向検出器２４は、積算値Ｋ１に比して積算値Ｋ２の方が大きい場合、検出フィールド（実走査信号Ｓ４，Ｓ５のフィールド）は１フィールド前のフィールド（実走査信号Ｓ３のフィールド）との相関が強いと判定して論理″Ｌ″の補間方向制御信号Ｊd1を出力し、積算値Ｋ１と積算値Ｋ２が略等しい場合、論理″Ｈ″又は論理″Ｌ″のどちらか一方を補間方向制御信号Ｊd1として出力する。
【００３８】
モード判定器２５は、後寄り点カウンタ２１からの積算値Ｋ１、前寄り点カウンタ２２からの積算値Ｋ２及び動き点カウンタ２３からの積算値Ｋ３に基づいて検出フィールド（実走査信号Ｓ４，Ｓ５のフィールド）がフィルムモードの信号かＴＶモードの信号かを判定して、後述するように走査線補間器９内の適応型補間器の出力（ＴＶモード用補間出力）とフィルム補間器の出力（フィルムモード用補間出力）を切り換える検出信号Ｍ５を出力する。
【００３９】
すなわち、モード判定器２５は、積算値Ｋ１と積算値Ｋ２を比較すると共に積算値Ｋ３を所定のしきい値Ｐと比較して、Ｋ１≧ｉ・Ｋ２（ｉは１より大きい係数）の場合、検出フィールド（実走査信号Ｓ４，Ｓ５のフィールド）は１フィールド後のフィールド（実走査信号Ｓ６のフィールド）との相関が強い後寄りのフィルムモードの信号であると判定する。また、Ｋ２≧ｉ・Ｋ１の場合、検出フィールド（実走査信号Ｓ４，Ｓ５のフィールド）は１フィールド前のフィールド（実走査信号Ｓ３のフィールド）との相関が強い前寄りのフィルムモードの信号であると判定する。更に、Ｋ１＜ｉ・Ｋ２で且つＫ２＜ｉ・Ｋ１であって、Ｋ３≧Ｐの場合、検出フィールドが動画のＴＶモードの信号であると判定する。更に又、Ｋ１＜ｉ・Ｋ２で且つＫ２＜ｉ・Ｋ１で、Ｋ３≦Ｐの場合、検出フィールドが静止画モードの信号と判定する。
【００４０】
そして、検出フィールドが後寄り又は前寄りのフィルムモードの信号であると判定された場合には、論理″Ｈ″の検出信号Ｍ５を出力し、一方、検出フィールドが動画のＴＶモードの信号であると判定された場合には、論理″Ｌ  ″の検出信号Ｍ５を出力する。
【００４１】
尚、検出フィールドが静止画モードの信号と判定された場合には、１フィールド前のフィールドで判定されたモード（フィルムモード又はＴＶモード）と同じモードであると判断して、論理″Ｈ″又は論理″Ｌ″の検出信号Ｍ５を出力する。
【００４２】
相関検出器２６は、実走査信号Ｓ４とＳ６の差分の絶対値｜Ｓ４−Ｓ６｜を演算し、しきい値ＴＨＤ３と比較して、｜Ｓ４−Ｓ６｜≧ＴＨＤ３のときには、実走査信号Ｓ４とＳ６の相関が弱いと判定して、論理″Ｈ″の検出信号Ｍ６を出力し、｜Ｓ４−Ｓ６｜＜ＴＨＤ３のときには、実走査信号Ｓ４とＳ６の相関が強いと判定して、論理″Ｌ″の検出信号Ｍ６を出力する。
【００４３】
相関検出器２７は、実走査信号Ｓ５とＳ６の差分の絶対値｜Ｓ５−Ｓ６｜を演算し、しきい値ＴＨＤ４と比較して、｜Ｓ５−Ｓ６｜≧ＴＨＤ４のときには、実走査信号Ｓ５とＳ６の相関が弱いと判定して、論理″Ｈ″の検出信号Ｍ７を出力し、｜Ｓ５−Ｓ６｜＜ＴＨＤ４のときには、実走査信号Ｓ５とＳ６の相関が強いと判定して、論理″Ｌ″の検出信号Ｍ７を出力する。
【００４４】
相関検出器２８は、実走査信号Ｓ４とＳ５の差分の絶対値｜Ｓ４−Ｓ５｜を演算し、しきい値ＴＨＤ５と比較して、｜Ｓ４−Ｓ５｜＜ＴＨＤ５のときには、実走査信号Ｓ４とＳ５の相関が強いと判定して、論理″Ｈ″の検出信号Ｍ８を出力する。一方、｜Ｓ４−Ｓ５｜≧ＴＨＤ５のときには、実走査信号Ｓ４とＳ５の相関が弱いと判定して、論理″Ｌ″の検出信号Ｍ８を出力する。
【００４５】
ＡＮＤゲート２９は、これら検出信号Ｍ６〜Ｍ８の論理積を求め、全ての検出信号Ｍ６〜Ｍ８が論理″Ｈ″の場合には、実走査信号Ｓ４，Ｓ５間で相関があり、実走査信号Ｓ４，Ｓ６間及び実走査信号Ｓ５，Ｓ６間では相関がないことを示す論理″Ｈ″の検出信号Ｍ９を出力する。
【００４６】
相関検出器３０は、実走査信号Ｓ０とＳ３の差分の絶対値｜Ｓ０−Ｓ３｜を演算し、しきい値ＴＨＤ６と比較して、｜Ｓ０−Ｓ３｜＜ＴＨＤ６のときには、実走査信号Ｓ０とＳ３の相関が強いと判定して、論理″Ｈ″の検出信号Ｍ10を出力し、｜Ｓ０−Ｓ３｜≧ＴＨＤ６のときには、実走査信号Ｓ０とＳ３の相関が弱いと判定して、論理″Ｌ″の検出信号Ｍ10を出力する。
【００４７】
相関検出器３１は、実走査信号Ｓ１とＳ３の差分の絶対値｜Ｓ１−Ｓ３｜を演算し、しきい値ＴＨＤ７と比較し、｜Ｓ１−Ｓ３｜＜ＴＨＤ７のときには、実走査信号Ｓ１とＳ３の相関が強いと判定して、論理″Ｈ″の検出信号Ｍ11を出力する。一方、｜Ｓ１−Ｓ３｜≧ＴＨＤ７のときには、実走査信号Ｓ１とＳ３の相関が弱いと判定して、論理″Ｌ″の検出信号Ｍ11を出力する。
【００４８】
相関検出器３２は、実走査信号Ｓ０とＳ１の差分の絶対値｜Ｓ０−Ｓ１｜を演算し、しきい値ＴＨＤ８と比較し、｜Ｓ０−Ｓ１｜＜ＴＨＤ８のときには、実走査信号Ｓ０とＳ１の相関が強いと判定して、論理″Ｈ″の検出信号Ｍ12を出力し、｜Ｓ０−Ｓ１｜≧ＴＨＤ８のときには、実走査信号Ｓ０とＳ１の相関が弱いと判定して、論理″Ｌ″の検出信号Ｍ12を出力する。
【００４９】
ＡＮＤゲート３３は、これら検出信号Ｍ10〜Ｍ12の論理積を求め、全ての検出信号Ｍ10〜Ｍ12が論理″Ｈ″の場合には、実走査信号Ｓ０，Ｓ１間で相関があり且つ実走査信号Ｓ０，Ｓ３間及び実走査信号Ｓ１，Ｓ３間で相関があることを示す論理″Ｈ″の検出信号Ｍ13を出力する。
【００５０】
ＡＮＤゲート３４は、ＡＮＤゲート２９からの検出信号Ｍ９が論理″Ｈ″で且つＡＮＤゲート３３からの検出信号Ｍ13が論理″Ｈ″の場合、検出パルスＭ14を出力する。すなわち、検出パルスＭ14は、実走査信号Ｓ４，Ｓ５間で相関があり且つ実走査信号Ｓ４，Ｓ６間及び実走査信号Ｓ５，Ｓ６間では相関がなく、実走査信号Ｓ０，Ｓ１間で相関があり且つ実走査信号Ｓ０，Ｓ３間及び実走査信号Ｓ１，Ｓ３間で相関がある点を示す。
【００５１】
櫛状点カウンタ３５は、ＡＮＤゲート３４からの検出パルスＭ14を１フィールド期間のあいだ計数（積算）し、その積算値Ｋ４を出力する。尚、櫛状点カウンタ３５の積算値Ｋ４は、各フィールドの開始直前又は終了直後にリセットされる。
【００５２】
この積算値Ｋ４は乗算器３６によりＪ１倍されて、比較器３７に供給される。前寄り点カウンタ２２の積算値Ｋ２は、１フィールドメモリ３８により１フィールド期間遅延されて比較器３７に供給される。
【００５３】
比較器３７は、乗算器３６によりＪ１倍された積算値Ｊ１・Ｋ４と１フィールド前のフィールドにおける前寄り点カウンタ２２の積算値Ｋ２’を比較して、Ｊ１・Ｋ４≧Ｋ２、且つ１フィールド前のフィールドが前寄りと判定されていた場合、検出フィールド（実走査信号Ｓ４，Ｓ５が属するフィールド）が１フィールドのフィルムフレームよりなる編集点フィールドであると判定して論理″Ｌ″の検出信号Ｍ13を出力し、一方、Ｊ１・Ｋ４＜Ｋ２’の場合、検出フィールドが編集点フィールドでないと判定して論理″Ｈ″の検出信号Ｍ15を出力する。
【００５４】
ＡＮＤゲート３９は、モード判定器２５からの検出信号Ｍ５と比較器３７からの検出信号Ｍ15の論理積を求め、検出フィールドがフィルムモード（検出信号Ｍ５が論理″Ｈ″）で且つ１フィールドのフィルムフレームよりなる編集点フィールドでない場合（検出信号Ｍ15が論理″Ｈ″の場合）には、後述する走査線補間器９の補間出力をフィルム補間器５３の出力（フィルムモード用補間出力）に切換える論理″Ｈ″の補間出力切換制御信号ＪＤ２を出力する。
【００５５】
また、ＡＮＤゲート３９は、検出フィールドが１フィールドのフィルムフレームよりなる編集点フィールドである場合（検出信号Ｍ15が論理″Ｌ″の場合）には、走査線補間器９の補間出力を適応型補間器５２の出力（ＴＶモード用補間出力）に切り換える論理″Ｌ″の補間出力切換制御信号ＪＤ２を出力する。
【００５６】
更に又、ＡＮＤゲート３９は、検出フィールドがＴＶモード（検出信号Ｍ５が論理″Ｌ″）である場合には、走査線補間器９の出力を適応型補間器の出力（ＴＶモード用補間出力）に切り換える論理″Ｌ″の補間出力切換制御信号ＪＤ２を出力する。
【００５７】
差分絶対値検出器４０、４１は、それぞれ、実走査信号Ｓ４とＳ６の差分の絶対値｜Ｓ４−Ｓ６｜、実走査信号Ｓ５とＳ６の差分の絶対値｜Ｓ５−Ｓ６｜を演算する。
【００５８】
比較器４２は、差分絶対値検出器４０と４１から供給される差分の絶対値｜Ｓ４−Ｓ６｜と｜Ｓ５−Ｓ６｜を比較する。ここで、｜Ｓ５−Ｓ６｜≧ｋ・｜Ｓ４−Ｓ６｜の場合には、実走査信号Ｓ６と１フィールド前の下側のラインの実走査信号Ｓ５との相関に比して実走査信号Ｓ６と１フィールド前の上側のラインの実走査信号Ｓ４との相関が強いと判定して、論理″Ｈ″の上寄り検出パルスＰｕを出力する。
【００５９】
一方、｜Ｓ４−Ｓ６｜≧ｋ・｜Ｓ５−Ｓ６｜（但し、ｋは１以上の係数で、例えば、ｋ＝２）の場合には、実走査信号Ｓ６と１フィールド前の上側のラインの実走査信号Ｓ４との相関に比して実走査信号Ｓ６と１フィールド前の下側のラインの実走査信号Ｓ５との相関が強いと判定し、論理″Ｈ″の下寄り検出パルスＰｄを出力する。
【００６０】
上寄り点カウンタ４３は上寄り検出パルスＰｕを１フィールド期間のあいだ計数（積算）してその積算値Ｋ５を出力し、下寄り点カウンタ４４は下寄り検出パルスＰｄを１フィールド期間のあいだ計数（積算）してその積算値Ｋ６を出力する。尚、上寄り点カウンタ４３と下寄り点カウンタ４４の各積算値Ｋ５，Ｋ６は、各フィールドの開始直前又は終了直後にリセットされる。
【００６１】
下寄り点カウンタ４４の積算値Ｋ５，Ｋ６はそれぞれ、乗算器４５，４６によりＪ２倍されて比較器４８，４７に供給される。
【００６２】
比較器４７は、積算値Ｋ５と積算値Ｊ２・Ｋ６とを比較して、Ｋ５≧Ｊ２・Ｋ６の場合、論理″Ｈ″の検出信号Ｍ16を出力し、Ｋ５＜Ｊ２・Ｋ６の場合、論理″Ｌ″の検出信号Ｍ16を出力する。
【００６３】
比較器４８は、積算値Ｋ６と積算値Ｊ２・Ｋ５とを比較して、Ｋ６≧Ｊ２・Ｋ５の場合、論理″Ｈ″の検出信号Ｍ17を出力し、Ｋ６＜Ｊ２・Ｋ５の場合、論理″Ｌ″の検出信号Ｍ17を出力する。
【００６４】
論理和ゲート（ＯＲゲート）４９は、検出信号Ｍ16，Ｍ17の論理和を求め、その出力が論理″Ｌ″の場合、すなわち積算値Ｋ５とＫ６がほぼ等しい場合には、切換回路５０を接点ａ側に切り換える制御信号ＣＮＴ２を出力する。
【００６５】
一方、論理和ゲート４９の出力が論理″Ｈ″の場合、すなわち積算値Ｋ５とＫ６とが大きく異なる場合（検出フィールドにおいて１フィールド当り１ドット程度の垂直走査方向の動きがある場合）には、補間切換回路５０を接点ｂ側に切り換える制御信号ＣＮＴ２を出力する。
【００６６】
切換回路５０の接点ａには、補間方向検出器２４からの補間方向制御信号Ｊd1が供給され、また、接点ｂには、反転ゲート（ＮＯＴゲート）５１により論理が反転された補間方向制御信号Ｊd1’が供給されている。
【００６７】
検出フィールドにおいて１フィールド当り１ドット程度の垂直走査方向の動きがある場合（積算値Ｋ５とＫ６とが大きく異なる場合）には、補間方向検出器２４での補間方向の判定に誤りが生じる場合があるが、上述のように積算値Ｋ５とＫ６の値に応じて補間方向検出器２４で決定した補間方向制御信号Ｊd1の論理を反転して、補間方向を逆にすることにより、フィルム補間処理における補間方向を正しく設定することができる。
【００６８】
図３は、図１の走査線補間器９の内部構成を示すブロック図である。
図３において、走査線補間器９は、実走査信号Ｓ０，Ｓ２，Ｓ３，Ｓ４及び動き検出器８からの動き制御係数Ｇに基づいて動き適応型補間処理により補間走査信号を生成する適応型補間器５２と、実走査信号Ｓ０，Ｓ４及びモード検出器７からの補間方向制御信号ＪＤ１に基づいてフィルム補間処理により補間走査信号を生成するフィルム補間器５３と、モード検出器７からの補間出力切換制御信号ＪＤ２に応答して適応型補間器５２の出力（適応型補間走査信号、すなわち、ＴＶモード用補間走査信号）とフィルム補間器５３の出力（フィルム補間走査信号、すなわちフィルムモード用補間走査信号）とを切り換えて出力する切換回路５４と、切換回路５４から供給される補間走査信号と実走査信号Ｓ２とを時間軸上で交互に間挿することにより順次走査（ノンインターレース）の映像信号Ｓoutを生成して出力する時間軸変換器５５とで構成されている。
【００６９】
ここで、適応型補間器（ＴＶモード用補間器）５２は、フィールド内補間処理により、生成される補間走査信号（実走査信号Ｓ２とＳ３に間挿される信号）に対して同一フィールド内で上下に位置する実走査信号Ｓ２，Ｓ３を例えば加算平均演算して第１の補間走査信号（（Ｓ２＋Ｓ３）／２）を生成し、また、フィールド間補間処理により、生成される補間走査信号（実走査信号Ｓ２とＳ３に間挿される信号）に対して１フィールド期間前及び後に位置する実走査信号Ｓ０，Ｓ４を例えば加算平均演算して第２の補間走査信号（（Ｓ０＋Ｓ４）／２）を生成し、これら第１及び第２の補間走査信号を動き制御係数Ｇ（但し、０≦Ｇ≦１）を用いて加重加算することにより補間フィールド（実走査信号Ｓ２，Ｓ３が属するフィールド）に対して適応型補間走査信号、すなわち、ＴＶモード用補間走査信号を生成する。
【００７０】
すなわち、適応型補間器（ＴＶモード用補間器）５２の出力は次式（１）に基づいて生成される。
（Ｓ２＋Ｓ３）・Ｇ／２＋（Ｓ０＋Ｓ４）・（１−Ｇ）／２    …（１）
尚、動き制御係数Ｇは、静止画のときは″０″、動画のときは、０＜Ｇ≦１の値に設定される。動き制御係数Ｇが″０″の場合には、適応型補間器５２の出力はフィールド間補間処理により生成さた補間走査信号となり、また、動き制御係数Ｇが″１″の場合には、適応型補間器５の出力はフィールド内補間処理により生成された補間走査信号となる。
【００７１】
フィルム補間器（フィルムモード用補間器）５３は、モード検出器７からの補間方向制御信号ＪＤ１の論理が″Ｈ″、すなわち、補間フィールド（実走査信号Ｓ２，Ｓ３が属するフィールド）がそれより１フィールド後のフィールド（実走査信号Ｓ４のフィールド）との相関が強い場合には、１フィールド後のフィールドの実走査信号Ｓ４をそのまま補間走査信号（実走査信号Ｓ２とＳ３に間挿される信号）として出力する。
【００７２】
また、モード検出器７からの補間方向制御信号ＪＤ１の論理が″Ｌ″、すなわち、補間フィールド（実走査信号Ｓ２，Ｓ３が属するフィールド）がそれより１フィールド前のフィールド（実走査信号Ｓ０のフィールド）との相関が強い場合には、１フィールド前のフィールドの実走査信号Ｓ０をそのまま補間走査信号（実走査信号Ｓ２とＳ３に間挿される信号）として出力する。
【００７３】
切換回路５４は、補間フィールド（実走査信号Ｓ２，Ｓ３の属するフィールド）がフィルムモードで且つ１フィールドのフィルムフレームよりなる編集点フィールドでない場合には、論理″Ｈ″の補間出力切換制御信号ＪＤ２により接点ａ側に切り換わり、フィルム補間器５３の出力（フィルムモード用補間出力）を時間軸変換器５５に供給する。
【００７４】
また、切換回路５４は、補間フィールド（実走査信号Ｓ２，Ｓ３の属するフィールド）が１フィールドのフィルムフレームよりなる編集点フィールドである場合には、論理″Ｌ″の補間出力切換制御信号ＪＤ２により接点ｂ側に切り換わり、適応型補間器５２の出力（ＴＶモード用補間出力）を時間軸変換器５５に供給する。
【００７５】
更に切換回路５４は、補間フィールド（実走査信号Ｓ２，Ｓ３の属するフィールド）がＴＶモードである場合には、論理″Ｌ″の補間出力切換制御信号ＪＤ２により接点ｂ側に切り換わり、適応型補間器５２の出力（ＴＶモード用補間出力）を時間軸変換器５５に供給する。
【００７６】
すなわち、補間フィールドが１フィールドのフィルムフレームからなる編集点フィールドである場合には、補間フィールドとその１フィールド前及び後の各フィールドとは異なるフィルムフレームとなるため、そのままフィルム補間処理（１フィールド前又は後の各フィールドの実走査信号をそのまま補間走査信号として用いる処理）を行うと、櫛状の妨害が発生するが、上述のようにその場合には適応型捕間器５２の出力（ＴＶモード用補間出力）を補間走査信号として用いることにより、櫛状の妨害の発生が防止できる。
【００７７】
尚、比較器３７の出力である検出信号Ｍ15の論理が″Ｌ″になるフィールドが比較的短期間内で多数発生する場合には、所定期間の間、検出信号Ｍ15の論理を″Ｌ″にして適応型補間器５２の出力（ＴＶモード用補間出力）を時間軸変換器５５に供給するように構成してもよい。
【００７８】
次に図４及び図５を参照して、上述の飛越し走査の入力映像信号から順次走査の映像信号が生成されるまでの過程を説明する。
【００７９】
図４は、通常の標準テレビジョン方式に準拠した飛越し走査の映像信号における実走査信号（図中、○印で示す）と、補間処理により生成される補間走査信号（図中、□印で示す）との時間的及び空間的位置関係を示している。符号Ｆ１〜Ｆ８は各フィールドを示し、符号ａ１，ａ３，ａ５，……，ｈ２，ｈ４，ｈ６は、各フィールドにおける実走査信号を示している。
【００８０】
図５は、２−３プルダウン方式によりテレシネ変換された飛越し走査の映像信号における実走査信号（図中、○印で示す）と、補間処理により生成される補間走査信号（図中、□印で示す）との時間的及び空間的位置関係を示している。符号Ｆ１〜Ｆ８は各フィールドを示し、符号ａｃ１，ａｃ３，ａｃ５，……，ｄｃ２，ｄｃ４，ｄｃ６は、各フィールドにおける実走査信号を示している。
【００８１】
ここで、フィールドＦ１及びＦ２、フィールドＦ３〜Ｆ５、フィールドＦ７及びＦ８は、それぞれ同一フィルムフレームに属するフィールドである。また、フィールドＦ３とＦ４は、同一の映像信号であり、フィールドＦ６は、ビデオ編集により生じた１フィールドフレームよりなる編集点フィールドである。
【００８２】
まず、図４に基づいて入力映像信号が通常の標準テレビジョン方式に準拠した動画像の飛越し走査の映像信号である場合における補間走査信号の生成について説明する。
【００８３】
この場合、各フィールドにおいて、１フィールド期間の間に積算された積算値Ｋ１〜Ｋ６は、Ｋ１≒Ｋ２、Ｋ３≧Ｐ、Ｊ１・Ｋ４＜Ｋ２’、Ｋ５≒Ｋ６の関係となる。従って、モード検出器７は、各フィールドをＴＶモードと判定して上述のように論理″Ｌ″の補間出力切換制御信号ＪＤ２を出力し、走査線補間器９内の切換回路５４の接点をｂ側に切換えて、適応型補間器５２の出力（ＴＶモード用補間出力）を時間軸変換器５５に供給するように制御する。
【００８４】
例えば、フィールドＦ３の実走査信号ｃ１とｃ３の間に位置する補間走査信号（適応型補間器５２の出力）は、
（ｃ１＋ｃ３）・Ｇ／２＋（ｂ２＋ｄ２）・（１−Ｇ）／２
となる。
【００８５】
次に、図５に基づいて入力映像信号が２−３プルダウン方式によりテレシネ変換された飛越し走査の映像信号である場合における補間走査信号の生成について説明する。
【００８６】
図５において、フィールドＦ１，Ｆ３，Ｆ７における後寄りカウンタ２１、前寄りカウンタ２２及び櫛状点カウンタ３５の積算値Ｋ１，Ｋ２，Ｋ４とそれらの１フィールド前のフィールドにおける前寄りカウンタ２２の積算値Ｋ２’は、Ｋ１≧ｉ・Ｋ２，Ｊ１・Ｋ４＜Ｋ２’の関係となる。
【００８７】
従って、モード検出器７は、各フィールドＦ１，Ｆ３，Ｆ７をフィルムモード（後寄りフィルムモード）と判定して上述のように論理″Ｈ″の補間出力切換制御信号ＪＤ２を出力し、走査線補間器９内の切換回路５４の接点をａ側に切換えて、フィルム補間器５３の出力（フィルムモード用補間出力）を時間軸変換器５５に供給するようにすると共に論理″Ｈ″の補間方向制御信号ＪＤ１を出力して、フィルム補間器５３における補間方向を未来側とする（補間走査信号として、１フィールド後のフィールドの実走査信号を用いる）。
【００８８】
すなわち、フィルム補間器５３は、各フィールドＦ１，Ｆ３，Ｆ７の補間走査線に対して同じ空間位置に位置する１フィールド後のフィールドＦ２，Ｆ４，Ｆ８の実走査信号をそのまま各フィールドＦ１，Ｆ３，Ｆ７の補間走査線に対する補間走査信号として出力する。
【００８９】
例えば、フィールドＦ１の実走査信号ａｃ１とａｃ３の間に位置する補間走査線に対する補間走査信号（フィルム補間器５３の出力）は、フィールドＦ２の実走査信号ａｃ２と同一の信号となる。
【００９０】
また、フィールドＦ２，Ｆ５，Ｆ８における後寄りカウンタ２１、前寄りカウンタ２２及び櫛状点カウンタ３５の積算値Ｋ１，Ｋ２，Ｋ４とそれらの１フィールド前のフィールドにおける前寄りカウンタ２２の積算値Ｋ２’は、Ｋ２≧ｉ・Ｋ１，Ｊ１・Ｋ４＜Ｋ２’の関係となる。
【００９１】
従って、モード検出器７は、各フィールドＦ２，Ｆ５，Ｆ８をフィルムモード（前寄りフィルムモード）と判定して上述のように論理″Ｈ″の補間出力切換制御信号ＪＤ２を出力し、走査線補間器９内の切換回路５４の接点をａ側に切換えて、フィルム補間器５３の出力（フィルムモード用補間出力）を時間軸変換器５５に供給するようにすると共に論理″Ｌ″の補間方向制御信号ＪＤ１を出力し、フィルム補間器５３における補間方向を過去側とする（補間走査信号として１フィールド前のフィールドの実走査信号を用いる）。
【００９２】
すなわち、フィルム補間器５３は、各フィールドＦ２，Ｆ５，Ｆ８の補間走査線に対して同じ空間位置に位置する１フィールド前のフィールドＦ１，Ｆ４，Ｆ７の実走査信号をそのまま各フィールドＦ２，Ｆ５，Ｆ８の補間走査線に対する補間走査信号として出力する。
【００９３】
例えば、フィールドＦ２の実走査信号ａｃ２とａｃ４の間に位置する補間走査線に対する補間走査信号（フィルム補間器５３の出力）は、フィールドＦ１の実走査信号ａｃ３と同一の信号となる。
【００９４】
また、フィールドＦ４における後寄りカウンタ２１、前寄りカウンタ２２、動きカウンタ２３及び櫛状点カウンタ３５の各積算値Ｋ１〜Ｋ４と、その１フィールド前のフィールドＦ３における前寄りカウンタ２２の積算値Ｋ２’は、Ｋ１＜ｉ・Ｋ２で且つＫ２＜ｉ・Ｋ１、すなわち、Ｋ１＝Ｋ２で、Ｋ３≦Ｐ、Ｊ１・Ｋ４＜Ｋ２’の関係となる。
【００９５】
従って、モード検出器７は、フィールドＦ４を静止画モードの信号と判定し、１フィールド前のフィールドで判定されたモード（フィルムモード）と同じモードであると判定して上述のように論理″Ｈ″の補間出力切換制御信号ＪＤ２を出力し、走査線補間器９内の切換回路５４の接点をａ側に切換えて、フィルム補間器５３の出力（フィルムモード用補間出力）を時間軸変換器５５に供給するようにすると共に補間方向制御信号ＪＤ１を出力し、フィルム補間器５３における補間方向を設定する。
【００９６】
また、フィールドＦ６における櫛状点カウンタ３５の積算値Ｋ４とその１フィールド前のフィールドＦ５における前寄りカウンタ２２の積算値Ｋ２’は、Ｊ１・Ｋ４＞Ｋ２’となり、且つフィールドＦ５は前寄りとなる。
【００９７】
従って、モード検出器７は、フィールドＦ６をビデオ編集により生じた１フィールドフレームよりなる編集点フィールドであると判定して上述のように論理″Ｌ″の補間出力切換制御信号ＪＤ２を出力し、走査線補間器９内の切換回路５４の接点をｂ側に切換えて、適応型補間器５２の出力（ＴＶモード用補間出力）を時間軸変換器５５に供給するように制御する。
【００９８】
例えば、フィールドＦ６の実走査信号ｃｃ２とｃｃ４の間に位置する補間走査信号（適応型補間器５２の出力）は、
（ｃｃ２＋ｃｃ４）・Ｇ／２＋（ｂｃ３＋ｄｃ３）・（１−Ｇ）／２
となる。
【００９９】
また、例えばフィールドＦ３において１フィールド当り１ドット程度の垂直走査方向の動きがある場合には、補間方向検出器２４で補間方向を過去側（前寄りフィルムモード）と誤って判定する場合がある。
【０１００】
１フィールド当り１ドット程度の垂直走査方向の動きがある場合には、上寄り点カウンタ４３の積算値Ｋ５と下寄り点カウンタ４４の積算値Ｋ６とが大きく異なるため、この関係を示すフィールドにおいては、補間方向検出器２４で決定した補間方向制御信号ＪＤ１の論理を反転して、補間方向を逆にする。すなわち、補間方向を未来側（後寄りフィルムモード）とすることにより、フィルム補間処理における補間方向を正しく設定することができる。
【０１０１】
【発明の効果】
以上説明したように本発明によれば、補間フィールドとその１フィールド期間前後のフィールドとの各相関値に基づいて、入力映像信号がテレシネ変換された映像信号であるか否かの判定を行うため、入力映像信号がテレシネ変換された映像信号であるか否かを迅速に識別することができる。
【０１０２】
また、補間フィールドが１フィールドのフィルムフレームからなる編集点フィールドである場合、フィルム補間処理ではなく適応型の補間処埋を行うことにより、妨害の発生のない順次走査の映像信号に変換することができる。
【０１０３】
また、１フィールド当り１ドット程度の垂直走査方向への動きが生じている場合に、フィルム補間処理における補間方向を第１の判定手段により判定された補間方向とは逆にすることにより、適切な補間処理を行うことができる。
【図面の簡単な説明】
【図１】  本実施形態に係る映像信号変換装置の構成を示すブロック図である。
【図２】  図１中のモード検出器の内部構成を示す図である。
【図３】  図１中の走査線補間器の内部構成を示す図である。
【図４】  標準テレビジョン方式に準拠した通常の飛越し走査の映像信号の実走査信号と補間走査信号との時間・空間的位置関係を示す図である。
【図５】  ２−３プルダウン方式によりテレシネ変換された飛越し走査の映像信号の実走査信号と補間走査信号との時間・空開的位置関係を示す図である。
【符号の説明】
１，３，４，３８…フィールドメモリ
２，５，６…ラインメモリ
７…モード検出器
８，１１…動き検出器
９…走査線補間器
１０…平坦部検出器
１４〜１７，４０，４１…差分絶対値回路
１８，１９…最小値セレクタ
２６〜２８，３０〜３２…相関検出器
２０，３７，４２，４７，４８…比較器
１２，２９，３３，３４，３９…ＡＮＤゲート
１３，５０，５４…切換回路
２１〜２３，３５，４３，４４…カウンタ
２４…補間方向検出器
２５…モード判定器
４９…論理和ゲート
５１…反転ゲート
５２…適応型補間器
５３…フィルム補間器
５５…時間軸変換器
【図１】
0003847024.tif 000002
【図２】
0003847024.tif 000003
【図３】
0003847024.tif 000004
【図４】
0003847024.tif 000005
【図５】
0003847024.tif 000006